【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
高級炭化水素を低級炭化水素へと転化するための方法であって、
少なくとも1種の固体原料および少なくとも1種の液体原料の形態における、高級炭化水素を含む供給原料を供給する工程、
該供給原料を液体および液体スラリーのうちの少なくとも1つに転化する工程、
分解された供給原料を気相において生成するために、第一の一式の触媒の存在下および275℃〜500℃の範囲の温度で該供給原料を分解する工程であって、該供給原料を分解する工程が、該供給原料の薄膜を形成する工程を含む、工程、
分解された供給原料を第二の一式の触媒の存在下で再構築して、再構築されたガス状生成物を生成する工程、および
該再構築されたガス状生成物を凝縮して、低級炭化水素を含む所望の最終生成物を生成する工程
を含む、方法。
【請求項２】
供給原料を転化する工程が、加熱された形態において、固体原料を液体原料と併合する工程を含む、請求項1記載の方法。
【請求項３】
固体原料を液体原料と併合する工程が、150℃〜250℃の範囲の温度で実施される、請求項2記載の方法。
【請求項４】
供給原料を転化する工程が溶融容器を使用して実施され、該供給原料の分解が分解装置を使用して実施される、前記方法であって、
該溶融容器から該分解装置へ熱交換器を介して該供給原料を移送する工程をさらに含む、請求項1記載の方法。
【請求項５】
供給原料を移送する工程が、該供給原料を乱流ゾーンに維持する工程を含む、請求項4記載の方法。
【請求項６】
乱流ゾーン中の供給原料が、5,000〜20,000の範囲のレイノズル数を有する、請求項5記載の方法。
【請求項７】
供給原料を分解する工程が、325℃〜425℃の範囲の温度で実施される、請求項1記載の方法。
【請求項８】
供給原料を分解する工程が、薄膜式分解装置を使用して実施される、請求項1記載の方法。
【請求項９】
供給原料を分解する工程が、該薄膜式分解装置の熱伝達表面に隣接して該供給原料の薄膜を形成するために薄膜式分解装置を作動させる工程を含む、請求項8記載の方法。
【請求項１０】
薄膜式分解装置が回転装置を含み、該薄膜式分解装置を作動させる工程が、供給原料の薄膜を形成しかつ該薄膜式分解装置から未分解の残留物を除去するために該回転装置を作動させる工程を含む、請求項9記載の方法。
【請求項１１】
薄膜式分解装置が、熱伝達表面に隣接してコーティングされた形態における第一の一式の触媒を含む、請求項9記載の方法。
【請求項１２】
再構築されたガス状生成物の少なくとも一部が、薄膜式分解装置に戻される、請求項8記載の方法。
【請求項１３】
分解された供給原料を再構築する工程が、第二の一式の触媒を含む触媒コンバーターを使用して実施される、請求項1記載の方法。
【請求項１４】
再構築されたガス状生成物を凝縮する工程が、所望の最終生成物を分離するために分留塔を使用して実施される、請求項1記載の方法。
【請求項１５】
上部、底部、および内部表面を備えるジャケット付き容器と、
該ジャケット付き容器内に収容され、かつ該ジャケット付き容器の該内部表面に隣接するワイピングブレードを含む、ブレードアセンブリと、
該ブレードアセンブリに接続され、かつ該ブレードアセンブリを回転するように構成されたモーターと
を備える、高級炭化水素を低級炭化水素へと転化するための分解装置であって、
該ジャケット付き容器が、該ジャケット付き容器の上部に隣接して供給原料を受け入れるように構成され、かつ該ワイピングブレードが、該ブレードアセンブリの回転時に、該ジャケット付き容器の該内部表面に隣接して該供給原料の薄膜を形成するために該供給原料を広げるように構成される、分解装置。
【請求項１６】
ワイピングブレードが、ブレードアセンブリの回転時に、ジャケット付き容器の内部表面に向かって半径方向に摺動するように構成される、請求項15記載の分解装置。
【請求項１７】
ワイピングブレードが、ブレードアセンブリの回転時に、概ね上向き方向に供給原料を広げるように構成される、請求項15記載の分解装置。
【請求項１８】
ワイピングブレードの少なくとも1つが、水平面に対して正の角度方向を有する溝を含む、請求項17記載の分解装置。
【請求項１９】
ジャケット付き容器が、該ジャケット付き容器の内部表面に隣接するコーティングをさらに含み、かつ該コーティングが、供給原料の分解を促進するための一式の触媒を含む、請求項15記載の分解装置。
【請求項２０】
分解された供給原料が該ジャケット付き容器の上部に隣接して取り出され、かつ未分解の残留物が該ジャケット付き容器の底部に隣接して取り出されるように、ジャケット付き容器が構成される、請求項15記載の分解装置。
【手続補正２】
【補正対象書類名】明細書
【補正対象項目名】００４８
【補正方法】変更
【補正の内容】
【００４８】
[本発明1001]
高級炭化水素を低級炭化水素へと転化するための方法であって、
少なくとも1種の固体原料および少なくとも1種の液体原料の形態において高級炭化水素を含む供給原料を供給する工程、
該供給原料を液体および液体スラリーのうちの少なくとも1つに転化する工程、
分解された供給原料を気相において生成するために、第一の一式の触媒の存在下および275℃〜500℃の範囲の温度で該供給原料を分解する工程であって、該供給原料を分解する工程が、該供給原料の薄膜を形成する工程を含む、工程、
分解された供給原料を第二の一式の触媒の存在下で再構築して、再構築されたガス状生成物を生成する工程、および
該再構築されたガス状生成物を凝縮して、低級炭化水素を含む所望の最終生成物を生成する工程
を含む、方法。
[本発明1002]
供給原料を転化する工程が、加熱された形態において、固体原料を液体原料と併合する工程を含む、本発明1001の方法。
[本発明1003]
固体原料を液体原料と併合する工程が、150℃〜250℃の範囲の温度で実施される、本発明1002の方法。
[本発明1004]
供給原料を転化する工程が溶融容器を使用して実施され、該供給原料の分解が分解装置を使用して実施される、前記方法であって、
該溶融容器から該分解装置へ熱交換器を介して該供給原料を移送する工程をさらに含む、本発明1001の方法。
[本発明1005]
供給原料を移送する工程が、該供給原料を乱流ゾーンに維持する工程を含む、本発明1004の方法。
[本発明1006]
乱流ゾーン中の供給原料が、5,000〜20,000の範囲のレイノズル数を有する、本発明1005の方法。
[本発明1007]
供給原料を分解する工程が、325℃〜425℃の範囲の温度で実施される、本発明1001の方法。
[本発明1008]
供給原料を分解する工程が、薄膜式分解装置を使用して実施される、本発明1001の方法。
[本発明1009]
供給原料を分解する工程が、該薄膜式分解装置の熱伝達表面に隣接して該供給原料の薄膜を形成するために薄膜式分解装置を作動させる工程を含む、本発明1008の方法。
[本発明1010]
薄膜式分解装置が回転装置を含み、該薄膜式分解装置を作動させる工程が、供給原料の薄膜を形成しかつ該薄膜式分解装置から未分解の残留物を除去するために該回転装置を作動させる工程を含む、本発明1009の方法。
[本発明1011]
薄膜式分解装置が、熱伝達表面に隣接してコーティングされた形態において第一の一式の触媒を含む、本発明1009の方法。
[本発明1012]
再構築されたガス状生成物の少なくとも一部が、薄膜式分解装置に戻される、本発明1008の方法。
[本発明1013]
分解された供給原料を再構築する工程が、第二の一式の触媒を含む触媒コンバーターを使用して実施される、本発明1001の方法。
[本発明1014]
再構築されたガス状生成物を凝縮する工程が、所望の最終生成物を分離するために分留塔を使用して実施される、本発明1001の方法。
[本発明1015]
上部、底部、および内部表面を備えるジャケット付き容器と、
該ジャケット付き容器内に収容され、かつ該ジャケット付き容器の該内部表面に隣接するワイピングブレードを含む、ブレードアセンブリと、
該ブレードアセンブリに接続され、かつ該ブレードアセンブリを回転するように構成されたモーターと
を備える、高級炭化水素を低級炭化水素へと転化するための分解装置であって、
該ジャケット付き容器が、該ジャケット付き容器の上部に隣接して供給原料を受け入れるように構成され、かつ該ワイピングブレードが、該ブレードアセンブリの回転時に、該ジャケット付き容器の該内部表面に隣接して該供給原料の薄膜を形成するために該供給原料を広げるように構成される、分解装置。
[本発明1016]
ワイピングブレードが、ブレードアセンブリの回転時に、ジャケット付き容器の内部表面を半径方向に摺動するように構成される、本発明1015の分解装置。
[本発明1017]
ワイピングブレードが、ブレードアセンブリの回転時に、概ね上向き方向に供給原料を広げるように構成される、本発明1015の分解装置。
[本発明1018]
ワイピングブレードの少なくとも1つが、水平面に対して正の角度方向を有する溝を含む、本発明1017の分解装置。
[本発明1019]
ジャケット付き容器が、該ジャケット付き容器の内部表面に隣接するコーティングをさらに含み、かつ該コーティングが、供給原料の分解を促進するための一式の触媒を含む、本発明1015の分解装置。
[本発明1020]
分解された供給原料が該ジャケット付き容器の上部に隣接して取り出され、かつ未分解の残留物が該ジャケット付き容器の底部に隣接して取り出されるように、ジャケット付き容器が構成される、本発明1015の分解装置。
本発明の他の局面および態様についても想到される。前述の概要および後述の詳細な説明は、本発明を任意の特定の態様に制限することを意図するものではく、単に、本発明のいくつかの態様について説明することを意図するものである。